(57)【要約】【課題】他所から借用した薬剤をより確実に管理することが可能な薬剤登録装置及びプログラムを提供する。【解決手段】使用される薬剤を記憶部に登録する薬剤登録装置であって、使用される薬剤のうち、他所から借用した薬剤に借用元を設定して前記記憶部に登録する登録手段と、前記登録された薬剤を表示部にリスト表示するとともに、前記借用元が設定された薬剤に他所から借用したことを示す情報を対応付けて表示する表示制御手段と、を備える。【選択図】図４
2015016165.tif 000002
【特許請求の範囲】
【請求項１】
使用される薬剤を記憶部に登録する薬剤登録装置であって、
使用される薬剤のうち、他所から借用した薬剤に借用元を設定して前記記憶部に登録する登録手段と、
前記登録された薬剤を表示部にリスト表示するとともに、前記借用元が設定された薬剤に他所から借用したことを示す情報を対応付けて表示する表示制御手段と、
を備える薬剤登録装置。
【請求項２】
前記表示制御手段は、前記借用元を選択する選択画面を前記表示部に表示し、
前記登録手段は、前記選択画面から選択された借用元を設定する請求項１に記載の薬剤登録装置。
【請求項３】
前記登録手段は、前記リスト表示された薬剤のうち、指定された薬剤に対し前記借用元を設定して登録する請求項１又は２に記載の薬剤登録装置。
【請求項４】
前記登録手段は、予め選択された前記借用元を、登録の対象となる前記薬剤の各々に設定して登録する請求項１又は２に記載の薬剤登録装置。
【請求項５】
前記記憶部に登録した薬剤のうち、前記借用元が設定された薬剤に関する伝票を当該借用元毎に出力する出力制御手段を更に備える請求項１〜４の何れか一項に記載の薬剤登録装置。
【請求項６】
使用される薬剤を記憶部に登録する薬剤登録装置のコンピュータを、
使用される薬剤のうち、他所から借用した薬剤に借用元を設定して前記記憶部に登録する登録手段と、
前記登録された薬剤を表示部にリスト表示するとともに、前記借用元が設定された薬剤に他所から借用したことを示す情報を対応付けて表示する表示制御手段と、
して機能させるためのプログラム。
【発明の詳細な説明】
【技術分野】
【０００１】
本発明の実施形態は、薬剤登録装置及びプログラムに関する。
【背景技術】
【０００２】
従来、薬剤の取り違い等の過誤の発生を防止するために幾つかのシステムが提案されている。例えば、特許文献１記載のシステムにおいては、投薬するために取揃えた薬剤の容器に付されたバーコードで特定される薬剤情報と、投薬すべき薬剤の情報とを照合し、薬剤の誤使用を防止している。
【０００３】
手術室においては、看護師が、手術で使用された薬剤の空容器を手術後に集め、使用薬剤についての集計結果を伝票に手作業で記入した後、伝票を医事課へ提出する作業を行っている。また、手術室等の緊急を要する現場においては、術前に術中での使用を想定し、事前に取り揃えていた薬剤以上、又はそれ以外の薬剤を使用しなければならない事態が生じることがある。不足した薬剤は、現場近くの他の手術室や薬剤準備室、保管庫等の他所から借用することがある。このような突発的な薬剤の借用は、院内の薬剤の在庫管理を困難にする一因となっている。
【発明の概要】
【発明が解決しようとする課題】
【０００４】
本発明が解決しようとする課題は、他所から借用した薬剤をより確実に管理することが可能な薬剤登録装置及びプログラムを提供することである。
【課題を解決するための手段】
【０００５】
実施形態の薬剤登録装置は、使用される薬剤を記憶部に登録する薬剤登録装置であって、登録手段と、表示制御手段とを備える。登録手段は、使用される薬剤のうち、他所から借用した薬剤に借用元を設定して前記記憶部に登録する。表示制御手段は、前記登録された薬剤を表示部にリスト表示するとともに、前記借用元が設定された薬剤に他所から借用したことを示す情報を対応付けて表示する。
【図面の簡単な説明】
【０００６】
【図１】図１は、実施形態にかかる薬剤管理システムの概要構成を示すブロック図である。
【図２】図２は、薬剤登録装置の外観を示す正面図である。
【図３】図３は、薬剤登録装置のハードウェア構成を示すブロック図である。
【図４】図４は、薬剤登録装置の機能構成を示すブロック図である。
【図５】図５は、薬剤登録装置における使用薬剤登録処理の流れを示すフローチャートである。
【図６】図６は、ログイン画面の一例を示す説明図である。
【図７】図７は、患者登録画面の一例を示す説明図である。
【図８】図８は、薬剤登録画面の一例を示す説明図である。
【図９】図９は、薬剤確認画面の一例を示す説明図である。
【図１０】図１０は、薬剤確認画面の一例を示す説明図である。
【図１１】図１１は、編集画面の一例を示す説明図である。
【図１２】図１２は、借用元選択画面の一例を示す説明図である。
【図１３】図１３は、編集画面の一例を示す説明図である。
【図１４】図１４は、薬剤確認画面の一例を示す説明図である。
【図１５】図１５は、薬剤確認画面の一例を示す説明図である。
【図１６】図１６は、借用元設定画面の一例を示す説明図である。
【発明を実施するための形態】
【０００７】
図１は、実施形態にかかる薬剤管理システム１０の概要構成を示すブロック図である。図１に示すように、薬剤管理システム１０は、電子カルテサーバ１１と、医師用の情報処理端末装置１２と、看護師用の情報処理端末装置１３と、薬剤監査装置１４と、無線基地局１５及び公衆通信ネットワーク１６を介して通信ネットワーク１７に接続された医師用の携帯情報処理端末装置１８と、薬剤部サーバ１９と、薬剤登録装置２０と、を備えている。
【０００８】
電子カルテサーバ１１は、電子カルテを管理し、記憶するための装置である。医師用の情報処理端末装置１２は、電子カルテの記入などを行うための装置である。看護師用の情報処理端末装置１３は、電子カルテサーバ１１が管理する電子カルテの参照及び確認を行うための装置である。薬剤監査装置１４は、電子カルテに含まれる指示書情報（例えば、処方箋情報）に基づいて薬剤の取揃え等の支援及び監査を行うための装置である。薬剤部サーバ１９は、薬剤部に配置され薬剤払出等を管理するための装置である。また、薬剤部サーバ１９は、薬剤のコード情報又は薬剤の外面情報（薬剤のラベルを表す特徴量、薬剤の色合いや表面の凹凸状況等の表面の状態を表す特徴量など）に対応付けて薬剤に係る薬剤情報（名称、量など）をテーブルに登録している。薬剤登録装置２０は、手術室に配置され、看護師によって手術中に使用された薬剤、あるいは救急の場などにおいて看護師や薬剤師等によって緊急的に使用された薬剤の登録支援を行うための装置である。本実施形態においては、薬剤登録装置２０は、手術室に配置されるものであって、看護師によって手術中に使用された薬剤の登録支援に用いられることを想定する。
【０００９】
上記構成において、電子カルテサーバ１１、情報処理端末装置１２、情報処理端末装置１３、薬剤監査装置１４、薬剤部サーバ１９及び薬剤登録装置２０は、通信ネットワーク１７に接続されている。
【００１０】
図２は、薬剤登録装置２０の外観を示す正面図である。図２に示すように、薬剤登録装置２０は、大別すると、薬剤登録装置２０の制御主体となる装置本体部２４と、スキャナ２２と、各種情報をプリントアウトするためのプリンタ２３とを備えている。
【００１１】
装置本体部２４は、オペレータとなる看護師が各種操作を行うとともに、手術中に使用された薬剤のリスト等の各種情報を表示可能なタッチパネルディスプレイ２１を備えている。
【００１２】
スキャナ２２は、カラーＣＣＤ（Charge  Coupled  Device）イメージセンサやカラーＣＭＯＳ（Complementary  Metal-Oxide  Semiconductor）イメージセンサ等のイメージセンサ（図示せず）とＬＥＤ（Light  Emitting  Diode）などの光源（図示せず）とを有している。スキャナ２２は、看護師ＩＤ（IDentification）のコードシンボル、患者ＩＤのコードシンボル、薬剤のコードシンボル、薬剤の画像などの撮像を行う。スキャナ２２が所定のフレームレートで順次撮像したフレーム画像（撮像画像）は、後述するＲＡＭ（Random  Access  Memory）３３（図３参照）に保存される。
【００１３】
なお、スキャナ２２は、図２に示すようなテーブル上に載置する形状に限るものではなく、床上に立設させるスタンド形状であってもよい。
【００１４】
また、薬剤登録装置２０は、薬剤の重量を測定する秤や、薬剤に付されたＲＦＩＤ（Radio  Frequency  IDentification）との間でデータの読取り／書込みを行うＲＦＩＤリーダライタ等を備えていてもよい。
【００１５】
図３は、薬剤登録装置２０のハードウェア構成を示すブロック図である。図３に示すように、薬剤登録装置２０は、装置全体を制御するＭＰＵ（Micro  Processing  Unit）３１と、ＲＯＭ（Read  Only  Memory）３２と、ＲＡＭ３３と、外部記憶装置３４と、通信インタフェース動作を行う通信インタフェース（Ｉ／Ｆ）３８とを装置本体部２４に備えている。ＲＯＭ３２は、制御プログラムを含む各種データを不揮発的に記憶する。ＲＡＭ３３は、ワークエリアとして機能するとともに、各種データを一時的に記憶する。外部記憶装置３４は、データベース等の大容量データや制御プログラムを記憶可能なハードディスクドライブ、ＳＳＤ（Solid  State  Drive）によって構成されている。
【００１６】
ここで、タッチパネルディスプレイ２１、スキャナ２２、プリンタ２３及び通信インタフェース３８は、入出力Ｉ／Ｏ３９を介してバス４０に接続されている。このバス４０には、ＭＰＵ３１、ＲＯＭ３２、ＲＡＭ３３及び外部記憶装置３４が接続されている。
【００１７】
なお、タッチパネルディスプレイ２１は、表示部であるディスプレイ３５及びタッチパネル３６を主体に構成されている。
【００１８】
また、外部記憶装置３４は、手術中に使用された薬剤についての集計結果を記憶する使用薬剤記憶テーブルＴを備えている。
【００１９】
このような構成により、薬剤登録装置２０のＭＰＵ３１は、ＲＯＭ３２や外部記憶装置３４に記憶された制御プログラムに従って動作することで、手術中に使用された薬剤の登録支援を行う。
【００２０】
次に、実施形態にかかる薬剤登録装置２０が有する特徴的な機能について説明する。図４は、薬剤登録装置２０の機能構成を示すブロック図である。ＭＰＵ３１は、ＲＯＭ３２や外部記憶装置３４に記憶された制御プログラムに従って動作することで、図４に示すように、登録手段３１１と、表示制御手段３１２と、読取手段３１３と、識別手段３１４と、出力制御手段３１５として機能する。
【００２１】
読取手段３１３は、スキャナ２２がスキャンした撮像画像から、手術に使用される薬剤に付されたコードシンボルのコード情報又は手術に使用される薬剤の全部又は一部の外面情報（薬剤のラベルを表す特徴量、薬剤の色合いや表面の凹凸状況等の表面の状態を表す特徴量など）を読み取る。バーコードや二次元コードなどのコードシンボルからコード情報を検出する処理については、従来からある技術なのでここでの説明は省略する。
【００２２】
なお、薬剤登録装置２０がＲＦＩＤリーダライタを備える場合には、読取手段３１３は、ＲＦＩＤリーダライタにより読み取られたデータからコード情報等を読み取る。
【００２３】
識別手段３１４は、読取手段３１３による読み取り結果として得られたコード情報又は外面情報（以下、薬剤ＩＤという）に基づいて薬剤を識別する。コード情報に基づいて薬剤を識別する方法は、予めコード情報に対応付けて薬剤の薬剤情報（名称、量など）をテーブルとして記憶しておき、コード情報に基づく薬剤の薬剤情報をテーブルから抽出するようにすればよい。また、外面情報（薬剤のラベルを表す特徴量、薬剤の色合いや表面の凹凸状況等の表面の状態を表す特徴量など）に基づいて薬剤を識別する方法は、予めコード情報に対応付けて薬剤の外面情報をテーブルとして記憶しておき、外面情報に基づく薬剤の薬剤情報をテーブルから抽出するようにすればよい。
【００２４】
登録手段３１１は、識別手段３１４で識別された手術に使用される薬剤を、記憶部として機能する外部記憶装置３４の使用薬剤記憶テーブルＴに登録する。また、登録手段３１１は、借用元を設定した薬剤を、その借用元を含む借用情報と対応付けて、外部記憶装置３４の使用薬剤記憶テーブルＴに登録する。
【００２５】
表示制御手段３１２は、表示部であるディスプレイ３５に、登録手段３１１によって登録された薬剤に係る薬剤情報等を表示する。また、表示制御手段３１２は、ディスプレイ３５に、薬剤登録に係る各種のＧＵＩ（グラフィカルユーザインタフェース）を表示する。
【００２６】
出力制御手段３１５は、登録が完了した薬剤の内訳（薬剤ＩＤや薬剤情報、数量等）を記録した薬剤伝票を出力する。また、出力制御手段３１５は、登録が完了した薬剤のうち、借用元が設定された薬剤については、当該薬剤の内訳（薬剤ＩＤや薬剤情報、数量等）を記録した借用伝票を借用元毎に出力する。なお、薬剤伝票及び借用伝票の出力は、プリンタ２３を用いた印字出力に限らず、通信ネットワーク１７を介して外部装置に送信出力する形態としてもよい。
【００２７】
次に、上述した実施形態にかかる薬剤登録装置２０のＭＰＵ３１が制御プログラムに従って実行する使用薬剤登録処理について説明する。実施形態にかかる薬剤登録装置２０は、手術中に使用された薬剤のコードシンボルや薬剤の画像などをスキャンし、手術後の使用薬剤登録処理を実行する。
【００２８】
図５は、薬剤登録装置２０のＭＰＵ３１が制御プログラムに従って実行する使用薬剤登録処理の流れを示すフローチャートである。図５に示すように、薬剤登録装置２０のＭＰＵ３１は、初期状態として、ディスプレイ３５にログイン画面を表示する（ステップＳ１）。薬剤登録装置２０の操作が許可されている各オペレータ（看護師）は、ＩＤカードを有し、ＩＤカードの認証により薬剤登録装置２０の操作が可能になるものとする。
【００２９】
図６は、ログイン画面Ｇ１の一例を示す説明図である。ログイン画面Ｇ１には、図６に示すように、「ＩＤカードを読み取らせてください。」というガイドコメント並びにＩＤカードに付されている看護師ＩＤのコードシンボルをスキャナ２２に読み込ませることを促すガイド画像が表示されている。
【００３０】
したがって、オペレータ（看護師）は、ログイン処理を行うために、自己のＩＤカードに付された看護師ＩＤのコードシンボルをスキャナ２２の前にかざして、看護師ＩＤを読み込ませる。
【００３１】
薬剤登録装置２０のＭＰＵ３１は、ログイン処理により看護師ＩＤを認証すると（ステップＳ２；Ｙｅｓ）、ディスプレイ３５の表示画面に患者登録画面Ｇ２を表示する（ステップＳ３）。なお、薬剤登録装置２０のＭＰＵ３１は、看護師ＩＤが認証できない場合（ステップＳ２；Ｎｏ）、ステップＳ１に戻り、ログイン画面Ｇ１を再度表示する。
【００３２】
図７は、患者登録画面Ｇ２の一例を示す説明図である。患者登録画面Ｇ２には、図７に示すように、「患者ＩＤを読み取らせてください。」というガイドコメント並びに患者のリストバンドに付されている患者ＩＤのコードシンボルをスキャナ２２に読み込ませることを促すガイド画像が表示されている。
【００３３】
したがって、オペレータ（看護師）は、患者登録処理を行うために、患者のリストバンドに付されている患者ＩＤのコードシンボルをスキャナ２２の前にかざして、患者ＩＤを読み込ませる。
【００３４】
薬剤登録装置２０のＭＰＵ３１は、患者登録処理により患者ＩＤを登録すると（ステップＳ４；Ｙｅｓ）、ディスプレイ３５の表示画面に手術中に追加使用された薬剤を登録するための薬剤登録画面Ｇ３を表示する（ステップＳ５）。なお、薬剤登録装置２０のＭＰＵ３１は、患者ＩＤが登録できない場合（ステップＳ４；Ｎｏ）、ステップＳ３に戻り、患者登録画面Ｇ２を再度表示する。
【００３５】
図８は、薬剤登録画面Ｇ３の一例を示す説明図である。薬剤登録画面Ｇ３には、図８に示すように、「薬剤登録開始」というガイドコメントとともに、薬剤に付されている薬剤ＩＤのコードシンボルをスキャナ２２に読み込ませることを促すガイド画像が表示されている。また、患者登録画面Ｇ２で読み取られた患者ＩＤと、この患者ＩＤから特定された患者の年齢や性別等の患者情報とが表示されている（以下同様）。
【００３６】
薬剤登録画面Ｇ３に基づき、オペレータ（看護師）は、薬剤登録処理を行うために、薬剤に付されている薬剤ＩＤのコードシンボルをスキャナ２２の前にかざして、薬剤ＩＤを読み取らせる。
【００３７】
薬剤登録装置２０のＭＰＵ３１は、薬剤ＩＤが読み取られるまで待機する（ステップＳ６；Ｎｏ）。薬剤ＩＤが読み取られると、薬剤登録装置２０のＭＰＵ３１は、その薬剤ＩＤや当該薬剤ＩＤに対応する薬剤情報を数量等とともに使用薬剤記憶テーブルＴに登録する（ステップＳ６；Ｙｅｓ）。そして、薬剤登録装置２０のＭＰＵ３１は、ディスプレイ３５の表示画面に、薬剤確認画面Ｇ４を表示する（ステップＳ７）。なお、薬剤登録装置２０のＭＰＵ３１は、ステップＳ７以降においても、スキャナ２２を介した薬剤ＩＤの読み込み動作をバックグラウンドで継続し、新たな薬剤ＩＤが読み込まれる度に当該薬剤ＩＤの登録を行う。
【００３８】
図９は、薬剤確認画面Ｇ４の一例を示す説明図である。薬剤確認画面Ｇ４は、リスト表示部Ａ１１と、合計点数欄Ａ１２と、編集ボタンＢ１１と、印刷ボタンＢ１２とを含む。リスト表示部Ａ１１は、薬剤情報（名称、量等）が表示される薬剤名欄Ａ１１１と、薬剤の数量が表示される数量欄Ａ１１２と、後述する借用アイコンが表示される借用欄Ａ１１３とを有する。リスト表示部Ａ１１には、登録された薬剤について薬剤部サーバ１９から取得した薬剤情報（名称、量等）が、その数量とともに、薬剤名欄Ａ１１１及び数量欄Ａ１１２にリスト表示されていく。また、薬剤登録装置２０のＭＰＵ３１は、登録した薬剤の数量を合計し、その値を合計点数として合計点数欄Ａ１２に表示する。
【００３９】
例えば、薬剤登録装置２０のＭＰＵ３１は、薬剤登録処理により新たな薬剤ＩＤの登録を行うと、図１０に示すように、当該薬剤ＩＤに係る薬剤の薬剤情報を、リスト表示部Ａ１１に追加して表示する。なお、薬剤登録装置２０のＭＰＵ３１は、直近に登録した薬剤の薬剤情報を強調表示することで、その旨をオペレータに明示する。
【００４０】
ところで、手術等の緊急を要する対処の現場においては、薬剤の不足により他の手術室や薬剤準備室、保管庫等の他所から薬剤を借用する場合がある。そこで、本実施形態の薬剤登録装置２０では、表示制御手段３１２が提供するＧＵＩを介して、他所から借用した薬剤に借用元を設定することが可能となっている。
【００４１】
具体的な設定方法は、以下のとおりである。まず、オペレータ（看護師）は、リスト表示部Ａ１１にリスト表示された薬剤、つまり登録が完了した薬剤から、他所から借用した薬剤を指定し、編集ボタンＢ１１を操作（押下）する。薬剤登録装置２０のＭＰＵ３１は、薬剤の指定と編集ボタンＢ１１の操作とを受け付けると（ステップＳ８；Ｙｅｓ）、ディスプレイ３５の表示画面に、指定された薬剤の設定を編集（変更）するための編集画面Ｇ５を表示する（ステップＳ９）。
【００４２】
図１１は、編集画面Ｇ５の一例を示す説明図である。編集画面Ｇ５は、図１１に示すように、指定された薬剤の薬剤情報（薬剤名）を表示する薬剤情報設定欄Ａ２１と、借用元の設定又は解除を行う借用設定欄Ａ２２と、数量を表示する数量設定欄Ａ２３とを含む。また、編集画面Ｇ５は、編集の確定を指示するための確定ボタンＢ２１と、キャンセルを指示するためのキャンセルボタンＢ２２とを含む。
【００４３】
ここで、借用設定欄Ａ２２は、借用元の選択を指示する借用元選択ボタンＢ２３と、借用元の解除を指示する借用解除ボタンＢ２４とを有する。また、借用設定欄Ａ２２は、借用元に設定された場所を表示するための借用元欄Ａ２２１を有する。
【００４４】
借用設定欄Ａ２２において、薬剤登録装置２０のＭＰＵ３１は、借用元選択ボタンＢ２３の操作をオペレータ（看護師）から受け付けると（ステップＳ１０；Ｙｅｓ）、ディスプレイ３５の表示画面に、借用元を選択するための借用元選択画面Ｇ６を表示する（ステップＳ１１）。
【００４５】
図１２は、借用元選択画面Ｇ６の一例を示す説明図である。借用元選択画面Ｇ６は、図１２に示すように、借用元の候補となる他の手術室や薬剤準備室等の各場所（施設）を選択するための選択ボタンＢ３１を含む。また、借用元選択画面Ｇ６は、借用元の確定を指示するための確定ボタンＢ３２、キャンセルを指示するためのキャンセルボタンＢ３３を含む。
【００４６】
選択ボタンＢ３１の各々には、当該選択ボタンＢ３１に表示された施設名を示す施設名情報が予め対応付けられている。オペレータ（看護師）は、借用元選択画面Ｇ６から、薬剤の借用元に対応する選択ボタンＢ３１を選択し、確定ボタンＢ３２を操作する。
【００４７】
薬剤登録装置２０のＭＰＵ３１は、何れか一の選択ボタンＢ３１の選択を受け付けた後、確定ボタンＢ３２の操作を受け付けると（ステップＳ１２；Ｙｅｓ）、選択された選択ボタンＢ３１に対応する施設（施設名情報）を借用元に設定する（ステップＳ１３）。次いで、薬剤登録装置２０のＭＰＵ３１は、ステップＳ９に戻り、図１３に示すように、設定した借用元の施設名（ＩＣＵ１）を借用元欄Ａ２２１に入力した編集画面Ｇ５を、ディスプレイ３５の表示画面に表示する。なお、キャンセルボタンＢ３３が操作された場合（ステップＳ１２；Ｎｏ）、薬剤登録装置２０のＭＰＵ３１は、ステップＳ９に直ちに戻ることで従前の編集画面Ｇ５を表示する。
【００４８】
また、編集画面Ｇ５において、オペレータ（看護師）から借用解除ボタンＢ２４の操作を受け付けた場合（ステップＳ１０；Ｎｏ→ステップＳ１４；Ｙｅｓ）、薬剤登録装置２０のＭＰＵ３１は、設定中の借用元を解除する（ステップＳ１５）。そして、薬剤登録装置２０のＭＰＵ３１は、ステップＳ９に戻り、借用元欄Ａ２２１を「未選択」に戻した編集画面Ｇ５を、ディスプレイ３５の表示画面に表示する（図１１参照）。
【００４９】
オペレータ（看護師）は、編集画面Ｇ５において、借用元の設定等を行うと、確定ボタンＢ２１を操作することで編集内容の確定を指示する。
【００５０】
薬剤登録装置２０のＭＰＵ３１は、編集画面Ｇ５に含まれた確定ボタンＢ２１の操作を受け付けると（ステップＳ１０；Ｎｏ→ステップＳ１４；Ｎｏ→ステップＳ１６；Ｙｅｓ）、編集画面Ｇ５での設定内容を外部記憶装置３４の使用薬剤記憶テーブルＴに反映する（ステップＳ１７）。例えば、借用元を設定した場合には、その借用元（施設名情報）を含む借用情報を、指定された薬剤の薬剤ＩＤに対応付けて登録する。また、借用元の解除を行った場合には、指定された薬剤の薬剤ＩＤに対応付けされた借用情報を削除する。
【００５１】
そして、薬剤登録装置２０のＭＰＵ３１は、ステップＳ７に戻り、薬剤確認画面を表示する。なお、編集画面Ｇ５において借用元の設定を行った場合、薬剤登録装置２０のＭＰＵ３１は、図１４に示すように、借用元の設定対象となった薬剤に対応付けて、他所から借用した薬剤であることを示す文字や図形等の情報（以下、借用マークという）を薬剤確認画面に表示する。
【００５２】
ここで、図１４は薬剤確認画面の一例を示す図である。図１４に示す薬剤確認画面Ｇ４では、借用元の設定対象とされた薬剤（ＢＢＢ  １０００ｍＬ）の借用欄Ａ１１３に、借用マークＣ１１を表示した例を示している。なお、借用マークの表示方法は、図１４の例に限らないものとする。
【００５３】
このように、本実施形態の薬剤登録装置２０では、ディスプレイ３５の表示画面に表示されたＧＵＩを介し、登録が完了した薬剤に借用元の設定を容易に行うことができるため、他所から借用した薬剤をより確実に管理することができる。また、他所から借用した薬剤に借用マークを対応付けて表示するため、何れの薬剤が借用したものかを容易に把握させることができる。
【００５４】
なお、編集画面Ｇ５では、上記した借用元の設定又は解除以外にも、薬剤情報設定欄Ａ２１や、数量設定欄Ａ２３の＋ボタンＢ２５及び−ボタンＢ２６を操作することで、薬剤情報や薬剤数量の設定を変更することも可能である。編集画面Ｇ５において、薬剤情報や薬剤数量の設定が変更された場合、薬剤登録装置２０のＭＰＵ３１は、ステップＳ１７において、変更内容を使用薬剤記憶テーブルＴに反映し、続くステップＳ９において、その変更内容を薬剤確認画面Ｇ４に反映して表示する。
【００５５】
また、編集画面Ｇ５において、キャンセルボタンＢ２２の操作を受け付けた場合（ステップＳ１０；Ｎｏ→ステップＳ１４；Ｎｏ→ステップＳ１６；Ｎｏ）、薬剤登録装置２０のＭＰＵ３１は、編集画面Ｇ５で設定した内容をクリアし、ステップＳ７に戻ることで従前の薬剤確認画面Ｇ４を表示する。
【００５６】
この薬剤確認画面Ｇ４において、薬剤登録装置２０のＭＰＵ３１は、印刷ボタンＢ１２の操作を受け付けると（ステップＳ８；Ｎｏ）、登録が完了した薬剤の薬剤ＩＤや薬剤情報、数量等を含む薬剤伝票をプリンタ２３から出力させる（ステップＳ１８）。次いで、薬剤登録装置２０のＭＰＵ３１は、登録が完了した薬剤のうち、借用元が設定された薬剤の薬剤ＩＤや薬剤情報、数量等を含む借用伝票を借用元毎にプリンタ２３から出力させる（ステップＳ１９）。
【００５７】
以上のように、本実施形態の薬剤登録装置２０によれば、手術中において他所から借用した薬剤の管理をより確実に行うことができるまた。また、借用した薬剤の借用伝票を借用元毎に発行することができるため、院内での借用業務や在庫管理に係る手続きを効率的に行うことができる。
【００５８】
なお、上記実施形態では、編集画面Ｇ５を用いて借用元を設定又は解除する形態としたが、これに限らず、借用元の設定及び解除を主として行う専用のＧＵＩ（借用元設定画面）を用意してもよい。この場合、例えば図１５に示すように、薬剤確認画面Ｇ４中に借用設定ボタンＢ１３を設け、借用設定ボタンＢ１３が操作された場合に、図１６に示すような借用元設定画面Ｇ７を表示する形態としてもよい。ここで、図１６に示す借用元設定画面Ｇ７は、図１３の編集画面Ｇ５から、薬剤情報設定欄Ａ２１と数量設定欄Ａ２３とを取り除いたものである。
【００５９】
また、上記実施形態では、借用元の設定又は解除を薬剤毎に行う形態としたが、これに限らず、複数の薬剤に対し借用元の設定又は解除を一度に行う形態としてもよい。この形態を採用する場合、薬剤登録装置２０のＭＰＵ３１は、例えば、リスト表示部Ａ１１から複数の薬剤の指定を受け付けた後、上記した借用設定ボタンＢ１３の操作を受け付けると、指定された薬剤群に係る借用元設定画面Ｇ７を表示する。そして、薬剤登録装置２０のＭＰＵ３１は、借用元設定画面Ｇ７での操作内容に応じて、指定された薬剤群に係る借用元の設定又は解除を一度に行う。
【００６０】
これにより、複数の薬剤に対し、借用元の設定又は解除を一度に行うことができるため、他所から借用した薬剤の管理をより効率的に行うことができる。
【００６１】
また、上記実施形態では、登録が完了した薬剤に対し、借用元の設定を行う形態としたが、これに限らず、予め選択された借用元を、登録の対象となる薬剤の各々に設定して登録する形態としてもよい。この形態を採用する場合、薬剤登録装置２０のＭＰＵ３１は、例えば、薬剤が未指定の状態で、上記した借用設定ボタンＢ１３の操作を受け付けると、借用元設定画面Ｇ７を表示する。続いて、薬剤登録装置２０のＭＰＵ３１は、借用元設定画面Ｇ７での操作内容に応じて借用元の選択を受け付けることで、借用元の事前設定を行う。そして、この操作以降に登録される薬剤の各々に、事前に設定した借用元の借用情報を対応付けて登録する。
【００６２】
これにより、薬剤の登録を、事前に設定された借用元と対応付けて自動で行うことができるため、他所から借用した薬剤の管理をより効率的に行うことができる。なお、薬剤が未指定の状態で、借用元設定画面Ｇ７から借用解除ボタンＢ２４が操作された場合には、事前設定の解除を行うものとする。
【００６３】
以上、本実施形態においては、手術中に追加使用された薬剤を登録することについて説明したが、これに限るものではない。例えば、手術前に追加使用される可能性がある薬剤を事前に登録しておくことで、薬剤投与ミスを投与前に発見することも可能である。
【００６４】
また、本実施形態の薬剤登録装置２０で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００６５】
また、本実施形態の薬剤登録装置２０で実行される制御プログラムを、インターネット等のネットワークに接続されたコンピュータ上に格納し、ネットワーク経由でダウンロードさせることにより提供するように構成してもよい。また、本実施形態の薬剤登録装置２０で実行される制御プログラムをインターネット等のネットワーク経由で提供又は配布するように構成してもよい。
【００６６】
また、本実施形態の薬剤登録装置２０で実行される制御プログラムを、ＲＯＭ等に予め組み込んで提供するように構成してもよい。
【００６７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６８】
２０  薬剤登録装置
２１  タッチパネルディスプレイ
２２  スキャナ
２３  プリンタ
２４  装置本体部
３１  ＭＰＵ
３２  ＲＯＭ
３３  ＲＡＭ
３４  外部記憶装置
３５  ディスプレイ
３６  タッチパネル
３８  通信インタフェース
４０  バス
３１１  登録手段
３１２  表示制御手段
３１３  読取手段
３１４  識別手段
３１５  出力制御手段
【先行技術文献】
【特許文献】
【００６９】
【特許文献１】特開２００２−１６３３５７号公報
【図１】
2015016165.tif 000003
【図２】
2015016165.tif 000004
【図３】
2015016165.tif 000005
【図４】
2015016165.tif 000006
【図５】
2015016165.tif 000007
【図６】
2015016165.tif 000008
【図７】
2015016165.tif 000009
【図８】
2015016165.tif 000010
【図９】
2015016165.tif 000011
【図１０】
2015016165.tif 000012
【図１１】
2015016165.tif 000013
【図１２】
2015016165.tif 000014
【図１３】
2015016165.tif 000015
【図１４】
2015016165.tif 000016
【図１５】
2015016165.tif 000017
【図１６】
2015016165.tif 000018